(57)【要約】【課題】コンパクトにできてコストダウンも図れ、紙幣Ｐの返却を容易にできる紙幣入出金装置を提供する。【解決手段】紙幣取引口13から紙幣集積部31内に投入した紙幣Ｐをステージ53で上昇させ、繰出手段33で紙幣集積部31の上部から紙幣Ｐを１枚ずつ紙幣識別搬送部に繰り出す。紙幣識別搬送部で識別して入金可能な紙幣Ｐを紙幣集積部31の下部へ戻し、集積機構34で紙幣集積部31内のステージ53の下部側から集積させて一時保留する。その後、ステージ53を紙幣集積部31の後方に退避させ、紙幣集積部31内の集積紙幣をリフト手段35で上昇させ、紙幣集積部31内の集積紙幣の下方にステージ53を進入させる。入金承認指令により、再度、紙幣Ｐを繰出手段33で繰り出して収納庫に収納する。入金返却指令により、紙幣集積部31に一時保留した紙幣Ｐを紙幣取引口13から返却する。【選択図】図１
2007286752.tif 000002
【特許請求の範囲】
【請求項１】
上下方向を集積方向とし、紙幣を集積状態で収容する紙幣集積部と、
この紙幣集積部に対して紙幣の投入および取り出しが可能な紙幣取引口と、
前記紙幣集積部の上方側に設けられ、紙幣集積部内の紙幣を繰り出す繰出手段と、
前記紙幣集積部に対して上下方向に移動可能に設けられているとともに紙幣集積部内に対して進退可能に設けられ、紙幣集積部内の集積紙幣を支持して前記繰出手段に押圧する紙幣押圧手段と、
前記繰出手段で繰り出された紙幣を識別し、入金可能な紙幣を前記紙幣集積部の繰出手段に対して反対側となる下方側へ搬送する紙幣識別搬送部と、
この紙幣識別搬送部で前記紙幣集積部に搬送する紙幣を紙幣集積部の下方側から順次挿入させて集積させる集積機構と、
この集積機構で集積された紙幣を持ち上げて集積紙幣の下方に前記紙幣押圧手段の挿入空間を形成するとともに、その挿入空間に挿入された前記紙幣押圧手段に集積紙幣を受け渡すリフト手段と、
前記紙幣取引口から紙幣集積部に投入された紙幣を繰出手段で紙幣識別搬送部に繰り出して識別させ、紙幣識別搬送部で入金可能な紙幣を紙幣集積部へ戻して一時保留させるとともに、入金承認指令により再度、紙幣を繰出手段で繰り出して収納可能とし、入金返却指令により紙幣集積部に一時保留した紙幣を紙幣取引口から返却させる制御部と
を具備していることを特徴とする紙幣入金装置。
【請求項２】
集積機構は、
紙幣集積部の底部に設けられ、紙幣識別搬送部から紙幣集積部に挿入される紙幣を紙幣集積部内に引き込む集積ベルトと、
周面に複数の突起を有し、それら突起により紙幣集積部に挿入された紙幣の挿入方向後端を持ち上げる集積ローラと、
この集積ローラで持ち上げられた紙幣の挿入方向後端が係合し、紙幣集積部内の集積済み紙幣の荷重を受ける紙幣受部とを備えている
ことを特徴とする請求項１記載の紙幣入金装置。
【請求項３】
集積機構は、紙幣集積部内に挿入された紙幣の挿入方向先端を持ち上げる先端持上ローラを備え、集積ベルトは紙幣の挿入方向に対して交差する幅方向に３本備えている
ことを特徴とする請求項２記載の紙幣入金装置。
【請求項４】
集積機構は、集積紙幣量が少ない間は紙幣集積部内に進出して紙幣を上方から押さえ、集積紙幣量の増加によって紙幣集積部内から退避する集積レバーを備えている
ことを特徴とする請求項１ないし３いずれか記載の紙幣入金装置。
【請求項５】
リフト手段は、紙幣集積部の両側から紙幣集積部内に進出して上下方向に移動可能に設けられるとともに上方へ揺動して紙幣集積部内から退避可能に設けられ、集積機構で集積された紙幣を持ち上げて集積紙幣の下方に紙幣押圧手段の挿入空間を形成した状態から、その挿入空間に挿入された紙幣押圧手段に対して相対的に下降するとともに上方へ揺動して紙幣集積部内から退避しながら集積紙幣を紙幣押圧手段に受け渡す
ことを特徴とする請求項１ないし４いずれか記載の紙幣入金装置。
【請求項６】
請求項１ないし５いずれか記載の紙幣入金装置と、
紙幣を収納するとともに繰出可能とする収納庫と、
紙幣集積部内の収納する紙幣を紙幣識別搬送部を通じて前記収納庫に搬送するとともに、この収納庫から繰り出した紙幣を紙幣識別搬送部を通じて紙幣集積部に搬送する入出金搬送部と
を具備していることを特徴とする紙幣入出金装置。
【発明の詳細な説明】
【技術分野】
【０００１】
本発明は、紙幣を入金処理する紙幣入金装置および紙幣を入出金処理する紙幣入出金装置に関する。
【背景技術】
【０００２】
従来、紙幣の入金取引をする機械として、入出金取引が可能な紙幣入出金機や、主に小売店の経営者や従業員が操作して小売店の売上金を入金する大口用の入金機などがある。
【０００３】
紙幣入出金機では、機体の上面側に入金口を有する入金部と出金口を有する出金部とが個別に配設され、機体の前面側に扉体によって前面が開閉可能な一時保留部が配設されている。そして、入金時には、入金口から入金部に投入された紙幣を、入金部から紙幣識別搬送部に繰り出し、この紙幣識別搬送部で識別して入金可能な紙幣を一時保留部に搬送して一時保留し、一時保留後の入金承認指令により一時保留部から紙幣を繰り出して収納庫に収納し、また、入金返却指令により一時保留部の前面の扉体を開いて返却紙幣を取り出すように構成されている。また、出金時には、収納庫から繰り出した紙幣を出金部に搬送して出金している（例えば、特許文献１参照）。
【０００４】
また、入金機では、一度に多量の紙幣を投入して処理できるように、入金部、一時保留部も大容量に形成されている。
【特許文献１】特開２００４−１４９２６４号公報（第５−６頁、図６）
【発明の開示】
【発明が解決しようとする課題】
【０００５】
しかしながら、紙幣入出金機では、紙幣の入金部、一時保留部および出金部を個別に配設しているため、それらを個別に設置するスペースを必要とする分だけ機体が大形になり、さらに、それら入金部、一時保留部および出金部のそれぞれには紙幣の繰り出しや繰り込みのための機構を設ける必要があり、コストアップの要因となっている。また、一時保留後の紙幣の返却時には、一時保留部の前面の扉体を開くことで返却紙幣を迅速に取り出せるが、紙幣を投入操作した機体の上面とは別の面からの紙幣の取り出しとなるため、返却操作が容易でない。
【０００６】
また、特に、入金機では、一度に多量の紙幣を投入して処理するため、入金部や一時保留部に大容量の紙幣収容スペースを必要とし、これらを個別に設置するために、機体が大形になりやすい問題がある。
【０００７】
本発明は、このような点に鑑みなされたもので、コンパクトでかつ安価に構成でき、紙幣の返却を容易にできる紙幣入金装置および紙幣入出金装置を提供することを目的とする。
【課題を解決するための手段】
【０００８】
請求項１記載の紙幣入金装置は、上下方向を集積方向とし、紙幣を集積状態で収容する紙幣集積部と、この紙幣集積部に対して紙幣の投入および取り出しが可能な紙幣取引口と、前記紙幣集積部の上方側に設けられ、紙幣集積部内の紙幣を繰り出す繰出手段と、前記紙幣集積部に対して上下方向に移動可能に設けられているとともに紙幣集積部内に対して進退可能に設けられ、紙幣集積部内の集積紙幣を支持して前記繰出手段に押圧する紙幣押圧手段と、前記繰出手段で繰り出された紙幣を識別し、入金可能な紙幣を前記紙幣集積部の繰出手段に対して反対側となる下方側へ搬送する紙幣識別搬送部と、この紙幣識別搬送部で前記紙幣集積部に搬送する紙幣を紙幣集積部の下方側から順次挿入させて集積させる集積機構と、この集積機構で集積された紙幣を持ち上げて集積紙幣の下方に前記紙幣押圧手段の挿入空間を形成するとともに、その挿入空間に挿入された前記紙幣押圧手段に集積紙幣を受け渡すリフト手段と、前記紙幣取引口から紙幣集積部に投入された紙幣を繰出手段で紙幣識別搬送部に繰り出して識別させ、紙幣識別搬送部で入金可能な紙幣を紙幣集積部へ戻して一時保留させるとともに、入金承認指令により再度、紙幣を繰出手段で繰り出して収納可能とし、入金返却指令により紙幣集積部に一時保留した紙幣を紙幣取引口から返却させる制御部とを具備しているものである。
【０００９】
請求項２記載の紙幣入金装置は、請求項１記載の紙幣入金装置において、集積機構は、紙幣集積部の底部に設けられ、紙幣識別搬送部から紙幣集積部に挿入される紙幣を紙幣集積部内に引き込む集積ベルトと、周面に複数の突起を有し、それら突起により紙幣集積部に挿入された紙幣の挿入方向後端を持ち上げる集積ローラと、この集積ローラで持ち上げられた紙幣の挿入方向後端が係合し、紙幣集積部内の集積済み紙幣の荷重を受ける紙幣受部とを備えているものである。
【００１０】
請求項３記載の紙幣入金装置は、請求項２記載の紙幣入金装置において、集積機構は、紙幣集積部内に挿入された紙幣の挿入方向先端を持ち上げる先端持上ローラを備え、集積ベルトは紙幣の挿入方向に対して交差する幅方向に３本備えているものである。
【００１１】
請求項４記載の紙幣入金装置は、請求項１ないし３いずれか記載の紙幣入金装置において、集積機構は、集積紙幣量が少ない間は紙幣集積部内に進出して紙幣を上方から押さえ、集積紙幣量の増加によって紙幣集積部内から退避する集積レバーを備えているものである。
【００１２】
請求項５記載の紙幣入金装置は、請求項１ないし４いずれか記載の紙幣入金装置において、リフト手段は、紙幣集積部の両側から紙幣集積部内に進出して上下方向に移動可能に設けられるとともに上方へ揺動して紙幣集積部内から退避可能に設けられ、集積機構で集積された紙幣を持ち上げて集積紙幣の下方に紙幣押圧手段の挿入空間を形成した状態から、その挿入空間に挿入された紙幣押圧手段に対して相対的に下降するとともに上方へ揺動して紙幣集積部内から退避しながら集積紙幣を紙幣押圧手段に受け渡すものである。
【００１３】
請求項６記載の紙幣入出金装置は、請求項１ないし５いずれか記載の紙幣入金装置と、紙幣を収納するとともに繰出可能とする収納庫と、紙幣集積部内の収納する紙幣を紙幣識別搬送部を通じて前記収納庫に搬送するとともに、この収納庫から繰り出した紙幣を紙幣識別搬送部を通じて紙幣集積部に搬送する入出金搬送部とを具備しているものである。
【発明の効果】
【００１４】
請求項１記載の紙幣入金装置によれば、１つの紙幣集積部の紙幣収容スペース並びに機構を、紙幣の入金部および一時保留部として共用できるため、コンパクトに構成でき、コストダウンも図れ、さらに、紙幣集積部に一時保留した紙幣をリフト手段で持ち上げて紙幣の下方に紙幣押圧手段の挿入空間を形成するとともにその挿入空間に挿入された紙幣押圧手段に紙幣を受け渡すことができ、紙幣押圧手段への紙幣の受け渡しを簡単な構成で実現でき、また、紙幣集積部内に紙幣を一時保留するため、紙幣を投入した紙幣取引口を紙幣返却口として共用でき、紙幣を容易に返却できる。
【００１５】
請求項２記載の紙幣入金装置によれば、請求項１記載の紙幣入金装置の効果に加えて、紙幣集積部の底部の集積ベルトによって紙幣集積部に挿入される紙幣を紙幣集積部内に引き込むことにより、紙幣を確実に集積位置まで引き込んで挿入方向先端で揃えて集積することができ、さらに、周面に複数の突起を有する集積ローラによって、それら突起により紙幣集積部に挿入された紙幣の挿入方向後端を持ち上げることにより、集積済みの紙幣に後続の紙幣が引っ掛かることなく、後続の紙幣を集積済みの紙幣の下側に確実に挿入させて集積させることができるとともに、集積ローラで持ち上げられた紙幣の挿入方向後端が係合する紙幣受部によって、紙幣集積部内の集積済み紙幣の荷重を受けることにより、集積ローラに加わる負荷を軽減できる。
【００１６】
請求項３記載の紙幣入金装置によれば、請求項２記載の紙幣入金装置の効果に加えて、先端持上ローラによって紙幣集積部内に挿入された紙幣の挿入方向後端に加えて挿入方向先端も持ち上げること、紙幣の挿入方向に対して交差する幅方向に３本の集積ベルトを備えることにより、収納済みの紙幣が挿入方向に対して交差する方向に湾曲するのを防止し、集積済みの紙幣に後続の紙幣が引っ掛かることなく、後続の紙幣を集積済みの紙幣の下側に確実に挿入させて集積させることができる。
【００１７】
請求項４記載の紙幣入金装置によれば、請求項１ないし３いずれか記載の紙幣入金装置の効果に加えて、集積レバーによって集積紙幣量が少ない間は紙幣集積部内に進出して紙幣を上方から押さえ、集積紙幣量が少ないときの紙幣の集積を安定させることができ、また、集積紙幣量の増加によって集積レバーが紙幣集積部内から退避し、紙幣のさらなる集積を許容できるとともに集積後の紙幣押圧手段への集積紙幣の受け渡しを許容できる。
【００１８】
請求項５記載の紙幣入金装置によれば、請求項１ないし４いずれか記載の紙幣入金装置の効果に加えて、リフト手段は、集積機構で集積された紙幣を持ち上げて集積紙幣の下方に紙幣押圧手段の挿入空間を形成した状態から、その挿入空間に挿入された紙幣押圧手段に対して相対的に下降するとともに上方へ揺動して紙幣集積部内から退避しながら集積紙幣を紙幣押圧手段に受け渡すため、紙幣押圧手段への紙幣の受け渡しを簡単な構成で実現できる。
【００１９】
請求項６記載の紙幣入出金装置によれば、１つの紙幣集積部の紙幣収容スペース並びに機構を、紙幣の入金部、一時保留部および出金部として共用できるため、コンパクトに構成でき、コストダウンも図れ、さらに、紙幣集積部に一時保留した紙幣をリフト手段で持ち上げて紙幣の下方に紙幣押圧手段の挿入空間を形成するとともにその挿入空間に挿入された紙幣押圧手段に紙幣を受け渡すことができ、紙幣押圧手段への紙幣の受け渡しを簡単な構成で実現でき、また、紙幣集積部内に入金、一時保留および出金の紙幣を収容するため、紙幣取引口を紙幣入金口、紙幣返却口および紙幣出金口として共用でき、紙幣の入出金の取扱いを容易にできる。
【発明を実施するための最良の形態】
【００２０】
以下、本発明の一実施の形態を図面を参照して説明する。
【００２１】
図１０に紙幣入出金装置11の構成図を示す。
【００２２】
この紙幣入出金装置11は、銀行などの金融店舗のロビーに設置されて小売店の経営者や従業員などの顧客自らの操作によって、多量の紙幣の入金取引や、両替のための出金取引を行うことができるもので、例えば、通常のＡＴＭ（現金自動預入れ払い機）程度の大きさに形成され、そのＡＴＭと同様に設置可能としている。
【００２３】
紙幣入出金装置11は、機体12を有し、この機体12の上部側の前面操作面12aに紙幣を投入および取り出し可能な紙幣取引口13が形成されている。この紙幣取引口13は、上部側が後方へ向けて傾斜するように形成され、シャッタ14（図１参照）によって開閉される。
【００２４】
紙幣取引口13の後方には紙幣を集積状態で収容する紙幣取引口部15が配設され、この紙幣取引口部15の上部からは入金時に入金紙幣が繰り出され、出金時に出金紙幣が繰り込まれ、また、下部からは入金時の一時保留紙幣が繰り込まれる。
【００２５】
紙幣取引口部15の下方には入金取引時の入金リジェクト紙幣を収納するとともに１枚ずつ繰出可能とする入金リジェクト紙幣収納部16が配設されている。
【００２６】
機体12の後部側には金種別に紙幣を収納するとともに１枚ずつ繰出可能とする金種別の収納庫17が配設されている。
【００２７】
紙幣取引口部15の上部および下部、入金リジェクト紙幣収納部16、各収納庫17との間に紙幣を搬送する紙幣通路18が形成されている。この紙幣通路18には、紙幣取引口部15から繰り出された入金紙幣や各収納庫17から繰り出された紙幣を識別する紙幣識別部19が配設されている。さらに、紙幣通路18には、出金取引時の出金リジェクト紙幣を収納する出金リジェクト紙幣収納部20、出金取引時の紙幣取引口部15から取り出されない取り忘れ紙幣を回収収納する取り忘れ紙幣収納部21、計数リジェクト紙幣を収納する計数リジェクト紙幣収納部22が接続されている。そして、紙幣取引口部15の上部から紙幣識別部19を経て紙幣取引口部15の下部に至る紙幣通路の経路が紙幣識別搬送部23として構成され、また、紙幣取引口部15の上部から紙幣識別搬送部23を通じて収納庫17に至る入金収納経路と収納庫17から繰り出した紙幣を紙幣識別搬送部23を通じて紙幣取引口部15の上部に搬送する出金経路とが入出金搬送部24として構成されている。
【００２８】
また、機体12の前面に操作台25が突設され、この操作台25の上面にタッチパネルで構成される表示部および操作部としての表示パネル26が設置されている。
【００２９】
機体12内には、機体12の前面操作面12aに臨んで、顧客によって挿入されるカードを読み取り処理するカードリーダ27などが配設されている。
【００３０】
また、機体12内には、紙幣入出金装置11の各構成に電源を供給する電源部28、および紙幣入出金装置11を制御する制御部29が配設されている。
【００３１】
次に、図１に紙幣入出金装置11の紙幣取引口部15の側面図、図２に紙幣取引口部15の一部の斜視図を示す。
【００３２】
紙幣取引口部15は、紙幣取引口13、この紙幣取引口13の後方に配置されて紙幣Ｐを集積状態で収容する紙幣集積部31、紙幣集積部31内の集積紙幣Ｐを支持して繰出時に上方へ移動させる紙幣押圧手段32と、紙幣集積部31の上部から紙幣識別搬送部23に紙幣Ｐを１枚ずつ繰り出す繰出手段33、紙幣識別搬送部23で搬送されてくる紙幣Ｐを紙幣集積部31の下部に集積させる集積機構34、およびこの集積機構34で集積した紙幣Ｐを紙幣押圧手段32に受け渡すリフト手段35を備えている。
【００３３】
紙幣取引口13は、上部側が後方へ向けて傾斜するように形成され、シャッタ14によって開閉される。シャッタ14は、シャッタ用モータ38の駆動によって上下方向に移動し、下降によって紙幣取引口13を開放し、上昇によって紙幣取引口13を閉鎖する。
【００３４】
また、紙幣集積部31は、紙幣Ｐの長手方向を機体幅方向に向けるとともに紙幣Ｐの面を上下方向に向けて集積状態で収容するもので、その紙幣Ｐの集積方向は上下方向であるが上部側が後方に向けて傾斜する上下方向に対して傾斜する方向である。なお、この紙幣集積部31の集積方向と紙幣取引口13の面およびシャッタ14の開閉方向とは平行である。
【００３５】
紙幣集積部31は、集積状態の紙幣Ｐの縁部をガイドする集積枠部41を有している。この集積枠部41は、背面ガイド42と両側の側面ガイド43とで構成され、前面が紙幣取引口13に臨んで開口されている。背面ガイド42の中央域には開口部44が形成されている。
【００３６】
背面ガイド42の上部近傍には紙幣押圧手段32が紙幣集積部31内から後方に退避する退避口45が形成され、下部近傍には紙幣押圧手段32が紙幣集積部31内に進入する進入口46が形成されている。退避口45には開閉ガイド47が配置され、この開閉ガイド47は上端側の支軸48を支点として後方へ開放可能とするとともに、退避口45を閉鎖する方向にばね付勢されている。進入口46には開閉ガイド49が配置され、この開閉ガイド49は下端側の支軸50を支点として前方へ開放可能とするとともに、進入口46を閉鎖する方向にばね付勢されている。
【００３７】
また、紙幣押圧手段32は、紙幣Ｐを載せて紙幣集積部31内を上下方向に移動可能とするとともに機体幅方向の両側部が退避口45および進入口46を通過可能とするステージ53を有し、このステージ53がステージ進退機構54によって支持されている。ステージ進退機構54は、本体部55、この本体部55に対してステージ進退用モータ56の駆動で集積枠部41の背面ガイド42の開口部44を通じて進退するステージ支持部57を有し、ステージ支持部57によってステージ53が紙幣集積部31の内外に進退可能に支持されている。本体部55は、ガイドレール58に沿って上下方向であって紙幣集積部31における紙幣Ｐの集積方向と平行に移動可能としている。ガイドレール58と平行にベルト59が張設され、このベルト59に本体部55が連結され、ステージ上下用モータ60の駆動によってベルト59が回動することにより、本体部55とともにステージ53が上下方向に移動する。
【００３８】
ステージ53には、集積枠部41の開口部44内における機体幅方向の複数位置に対応して、可撓性を有する帯状のシートなどの複数の紙幣ガイド61の一端が連結され、これら紙幣ガイド61の他端が集積枠部41の上部側に配設される図示しないリールによって巻き取られる。そして、ステージ53の下降時にはリールから紙幣ガイド61が引き出され、上昇時にはリールに紙幣ガイド61が巻き取られる。これら紙幣ガイド61は、開口部44を完全に覆うものではなく、紙幣ガイド61の両側には開口部44が開口されている。
【００３９】
そして、紙幣集積部31内に配置されたステージ53より上側には紙幣Ｐを集積状態で収容する集積空間62が形成され、ステージ53より下側には入金処理時に紙幣Ｐを一時保留する一時保留部63が形成されている。
【００４０】
また、図１、図６および図７に示すように、繰出手段33は、紙幣集積部31の上部でかつ傾斜の高い側である前側の繰出口66から繰出通路67へ紙幣集積部31内の紙幣Ｐを１枚ずつ繰り出すものである。繰出通路67には、繰出口66から下側の湾曲部70を通じて略鉛直方向である上方へ向けて鉛直通路部71が形成されているとともに、鉛直通路部71の上端から上側の湾曲部72を通じて後方へ向けて下流側通路部73が形成され、この下流側通路部73が紙幣識別搬送部23に接続されている。
【００４１】
繰出通路67は、紙幣集積部31の前側から繰出通路67の上側の湾曲部72にわたって配設された前側の通路部材74、紙幣集積部31の上側から繰出通路67の鉛直通路部71にわたって配設された後側の通路部材75、下流側通路部73の上側に配設された上側の通路部材76、下流側通路部73の下側に配設された下側の通路部材77によって形成されている。前側の通路部材74は、繰出通路67の上部側を開放するように通路部材74の上部側が前方へ開閉移動可能に構成され、ソレノイドやモータなどの図示しない開閉駆動手段で開閉駆動される。
【００４２】
前後の通路部材74，75間に形成される繰出通路67の下側の湾曲部70および鉛直通路部71の通路間隔は、紙幣Ｐに混入する異物Ｃが繰出通路67内に繰り出された場合に、異物Ｃが例えば硬貨であれば、その硬貨の厚みよりも広く、その硬貨が移動し得る寸法に形成されている。繰出通路67の下側の湾曲部70は硬貨が移動し得る曲率半径に形成されているが、上側の湾曲部72は硬貨が通過し得ない例えばＲ１５程度の曲率半径に形成され、この上側の湾曲部72で紙幣Ｐを通過させ異物Ｃを停止させる異物停止部78が形成されている。
【００４３】
紙幣集積部31の上部には、後側の通路部材75より紙幣集積部31内に突出して紙幣集積部31内の最上部の紙幣Ｐを繰出口66へ向けて１枚ずつ繰り出す繰出部材としてのキックローラ79が配設されている。キックローラ79の周面の一部は、紙幣Ｐを繰出通路67内に引き込むために周方向に複数の凹凸状で摩擦係数の大きいゴムなどの材料で形成されている。
【００４４】
繰出通路67の下側の湾曲部70には、後側の通路部材75より通路内に突出してフィードローラ80が軸方向に複数配設されているとともに、前側の通路部材74より通路内に突出してフィードローラ80との間に紙幣Ｐを挟持して紙幣Ｐを紙幣集積部31から通路内に引き抜く引抜ローラ82が軸方向に複数配設されている。引抜ローラ82は、図示しないばねによってフィードローラ80へ向けて付勢され、フィードローラ80との間に異物Ｃが進入したときにはばね付勢に抗して退避して異物Ｃの通過を許容する。フィードローラ80は、周面の一部が周方向に複数の凹凸状で摩擦係数の大きいゴムなど材料で形成されていて紙幣Ｐを繰出通路67内に引き込む複数の引込ローラ部80a、引抜ローラ82との間で紙幣Ｐを挟持して繰出通路67内に引き込む複数の挟持ローラ部80bを有している。フィードローラ80とキックローラ79とは連動ベルト81によって連動して回転駆動される。
【００４５】
繰出口66には、前側の通路部材74から通路内に突出してフィードローラ80に対して逆方向に回転する逆転ローラ83が軸方向に複数配設されている。この逆転ローラ83は、フィードローラ80の複数の引込ローラ部80a間に対応する複数位置に分けられており、支軸84を支点として揺動可能とする揺動部材85に揺動可能に軸支され、この揺動部材85に連結されたばね86によってフィードローラ80へ向けて付勢されていて、フィードローラ80との間に異物Ｃが進入したときにはばね付勢に抗して退避して異物Ｃの通過を許容するように構成されている。そして、フィードローラ80と逆転ローラ83とによって、キックローラ79で繰り出される紙幣Ｐの通過を１枚に規制するとともに、紙幣Ｐに混入して異物Ｃが繰り出された場合にその異物Ｃの規制に所定以上の負荷がかかると異物Ｃの通過を許容するゲート部87が構成されている。
【００４６】
繰出通路67の下流側通路部73には、プーリ88によって張設された複数の搬送ベルト89と、これら搬送ベルト89との間に紙幣Ｐを挟持して搬送する複数のローラ90が配設されている。プーリ88は下側の通路部材77側に配設され、このプーリ88に張設されている搬送ベルト89の周面が上側の湾曲部72の内径側に配置されている。
【００４７】
フィードローラ80と引抜ローラ82との間から搬送ベルト89とローラ90との間までの繰出通路67の鉛直通路部71は、紙幣Ｐや異物Ｃに対して搬送力を付与しない非搬送力付与領域91である。この非搬送力付与領域91の下部側で、前側の通路部材74には、繰出通路67内の異物Ｃを繰出通路67外の前方へ排出する異物排出部92が開口形成されている。この異物排出部92の下部側であってフィードローラ80の位置を除く機体幅方向の複数位置には、略三角形状の排出爪93が支軸94を支点として揺動可能に配設され、図示しないばねによって通路内に進入する方向に付勢されている。これら排出爪93は、ばね付勢に抗して紙幣Ｐや異物Ｃの通路下流方向への通過を許容するとともに、非搬送力付与領域91を落下する異物Ｃを異物排出部92から排出させる。非搬送力付与領域91に紙幣Ｐとともに送り込まれた異物Ｃは、異物停止部78で停止しても、紙幣Ｐが繰り出されれば、搬送力が付与されないため、異物Ｃの自重で自然に落下し、排出爪93を通じて異物排出部92から排出されやすい。
【００４８】
異物停止部78の位置であって機体幅方向の複数位置には、この異物停止部78で停止している異物Ｃを検知する複数の検知手段95が配設されている。これら検知手段95は、光投受光式の光センサで構成され、紙幣Ｐまたは異物Ｃによって遮光され、紙幣Ｐが通過または異物Ｃが落下すれば投光状態となり、所定時間以上継続して遮光状態が続けば、異物停止部78で異物Ｃが停止していることを検知する。
【００４９】
そして、制御部29は、図６(a)(b)に示すように、紙幣Ｐの繰出動作中に、異物停止部78で異物Ｃを停止していることを検知手段95で検知したら、図６(c)(d)に示すように、繰出動作を停止させ、開閉駆動手段で前側の通路部材74の上部側を前方へ移動させて繰出通路67を開放させることにより、異物停止部78で停止している異物Ｃを異物排出部92から排出させ、検知手段95で異物Ｃを検知しなくなれば開閉駆動手段で繰出通路67を閉じ、繰出動作を再開させる機能を有している。
【００５０】
また、図１および図３に示すように、集積機構34は、紙幣集積部31の底部に、機体幅方向を軸方向とするとともに前後方向に位置してそれぞれ回転自在に配設された３本の下側シャフト101a，101b，101cを有し、これら下側シャフト101a，101b，101cに取り付けられたプーリ102a，102b，102cによって機体幅方向に３本の集積ベルト103，104，103が張設されている。両側の集積ベルト103，103は、紙幣通路18側に延設されていて図示しないプーリに掛け回されている。中央の集積ベルト104は、前側のプーリ102aが用いられず、中間のプーリ102bと後側のプーリ102cとの間に掛け回されている。
【００５１】
後側の下側シャフト101cの上側および後側には、機体幅方向を軸方向とする２本の上側シャフト105a，105bが前後方向に位置してそれぞれ回転自在に配設され、これら上側シャフト105a，105bに支持されたプーリ106a，106bによって機体幅方向に３本の引込ベルト107，107，107が張設されている。
【００５２】
各集積ベルト103，104，103と各引込ベルト107，107，107とは、機体幅方向の同一位置にあり、紙幣通路18を通じて搬送されてくる紙幣Ｐを挟み込んで、紙幣集積部31の下方側から紙幣集積部31内つまり一時保留部63内に引き込む。両側の集積ベルト103，103は、前側のプーリ102aと中間のプーリ102bとの間のベルト上面に対して、中間のプーリ102bから後側のプーリ102cとの間のベルト上面が低くなるように傾斜しており、つまり、後側のプーリ102cから中間のプーリ102bに向けてベルト上面が上昇するように傾斜しており、紙幣Ｐを紙幣集積部31の斜め下方側から紙幣集積部31内に挿入するように構成されている。
【００５３】
前側の下側シャフト101aには、軸方向の複数位置に、紙幣集積部31内に挿入された紙幣Ｐの挿入方向先端を持ち上げる複数の先端持上ローラ108が取り付けられている。紙幣集積部31の前側には、先端持上ローラ108で持ち上げられた紙幣Ｐの挿入方向先端が当接して紙幣集積部31の所定の集積位置に位置決めする位置決めガイド109が集積方向に平行に配設されている。
【００５４】
後側の上側シャフト105aには、軸方向の複数位置に、周面に複数の突起110を有し、それら突起110により紙幣集積部31に挿入された紙幣Ｐの挿入方向後端を持ち上げる集積ローラ111が取り付けられている。
【００５５】
集積枠部41の背面ガイド42には、機体幅方向の複数位置に、集積ローラ111で持ち上げられた紙幣Ｐの挿入方向後端が係合し、紙幣集積部31内の集積済み紙幣Ｐの荷重を受ける紙幣受部112が突設されている。
【００５６】
これら集積ローラ111および紙幣受部112の作用により、紙幣集積部31内に集積された紙幣Ｐの挿入方向後端が集積ベルト103，104，103の上方に配置されて、それら集積済み紙幣Ｐの挿入方向後端と集積ベルト103，104，103との間に紙幣挿入空間が形成され、この紙幣挿入空間に後続の紙幣Ｐが挿入されて集積済み紙幣Ｐの下側に確実に集積させることができる。
【００５７】
各集積ベルト103，104，103の上方には、紙幣集積部31内に進出して紙幣Ｐを上方から押さえる機体幅方向に３つの集積レバー113，114，113が配設されている。両側に位置する後側の集積レバー113は、集積枠部41の背面ガイド42に対して上下方向に揺動可能に軸支され、先端側は紙幣Ｐを押さえるように上方に折曲されている。中央に位置する前側の集積レバー114は、集積枠部41の前側の部位に軸支部材115によって上下方向に揺動可能に軸支され、先端側は下側に紙幣Ｐが挿入されるように上方へ折曲されている。
【００５８】
これら集積レバー113，114，113は、ばねによって紙幣Ｐを押さえる方向に付勢されており、図４(a)に示すように、集積紙幣量が少ない間は紙幣集積部31内に進出して紙幣Ｐを上方から押さえて、紙幣Ｐの集積を安定させ、図４(b)(c)に示すように、集積紙幣量の増加により集積紙幣Ｐに押されることでばね付勢に抗して上方へ回動して紙幣集積部31内から退避する。このとき、図４(d)に集積レバー113，114，113がない場合の図を示すように、紙幣Ｐの挿入方向前端または後端がずり上がるなどの集積不良が発生するのを防ぐ作用効果がある。
【００５９】
また、図１、図３および図５に示すように、リフト手段35は、集積ベルト113，114，113よりも機体幅方向の両側位置に配設されており、図示しない昇降機構により集積方向に連動して移動可能とする左右両側の昇降部118を有し、これら各昇降部118に紙幣集積部31内を集積方向に移動するリフトアーム119が取り付けられている。リフトアーム119は、軸方向を前後方向とする支軸120を支点として、リフトアーム119上に紙幣Ｐを載せる水平姿勢の定位置から上方に回動可能に軸支されるとともに、図示しないばねで水平姿勢に向けて付勢されている。左右両側のリフトアーム119の回動は連動して回動するように連結されている。
【００６０】
左右両側のリフトアーム119は、集積ベルト113，114，113よりも低い位置を待機位置とし、この待機位置からの上昇により、図５(a)に示すように、集積機構34で集積された紙幣Ｐを持ち上げて集積紙幣Ｐの下方に紙幣押圧手段32のステージ53の挿入空間を形成し、その挿入空間に挿入されたステージ53に対して下降することにより、図５(b)(c)に示すように、左右両側のリフトアーム119がステージ53と当接して上方へ揺動し、左右両側のリフトアーム119が紙幣集積部31内から退避しながら集積紙幣Ｐを紙幣押圧手段32のステージ53に受け渡し、図５(d)に示すように、左右両側のリフトアーム119がステージ53を乗り越えて水平姿勢に戻るとともに下方の待機位置に戻るように構成されている。
【００６１】
そして、制御部29は、入金取引時において、紙幣取引口13から紙幣集積部31に投入された紙幣Ｐを繰出手段33で紙幣識別搬送部23に繰り出して識別させ、紙幣識別搬送部23で入金可能な紙幣Ｐを紙幣集積部31の下部へ戻して一時保留させるとともに、入金承認指令により再度、紙幣Ｐを繰出手段33で繰り出して収納庫17に収納させ、入金返却指令により紙幣集積部31に一時保留した紙幣Ｐを紙幣取引口13から返却させる機能を有している。
【００６２】
次に、本実施の形態の作用を説明する。
【００６３】
まず、紙幣入出金装置11の入金処理について説明する。
【００６４】
図８(a)に示すように、待機状態では、紙幣取引口13のシャッタ14が閉じられ、ステージ53は集積枠部41の進入口46から紙幣集積部31内に進入した高さ位置にある。
【００６５】
図８(b)に示すように、小売店の経営者や従業員などの顧客の操作による入金取引指令により、シャッタ14を開いて紙幣取引口13を開放する。顧客は、開いた紙幣取引口13を通じて多量の紙幣Ｐをステージ53上に載置してセットする。このとき、紙幣集積部31は、上部側が後方に向けて傾斜しているため、紙幣Ｐに混入している異物Ｃが後方に移動し、集積枠部41の開口部44から紙幣集積部31外に排除されやすい。
【００６６】
図８(c)に示すように、紙幣Ｐのセット完了後、シャッタ14を閉じて紙幣取引口13を閉鎖する。
【００６７】
図８(d)に示すように、ステージ53を上昇させ、ステージ53上の集積紙幣Ｐのうちの最上部の紙幣Ｐを繰出手段33のキックローラ79に押圧する。ステージ53が上昇することにより、ステージ53で押されて開放していた開閉ガイド49が進入口46を閉じる。
【００６８】
図８(e)に示すように、繰出手段33で繰出動作を開始し、ステージ53上の紙幣Ｐを１枚ずつ繰出通路67を通じて紙幣通路18に繰り出し、紙幣通路18の紙幣識別部19で識別し、正規の紙幣Ｐは紙幣通路18で紙幣集積部31の下部の集積機構34に搬送し、この集積機構34で紙幣Ｐを紙幣集積部31内のステージ53より下側の一時保留部63に下方側から順次挿入させて集積させる。集積紙幣量が少ない間は、集積レバー113，114，113が紙幣集積部31内に進出して紙幣Ｐを上方から押さえて、紙幣Ｐの集積を安定させる。また、入金リジェクト紙幣Ｐは紙幣通路18で入金リジェクト紙幣収納部16に搬送して収納する。
【００６９】
図８(f)に示すように、ステージ53が上昇していくと、ステージ53より上方の集積空間62が減少し、ステージ53より下方の一時保留部63の空間が増大していき、一時保留部63での集積紙幣量の増加を許容する。この集積紙幣量の増加により、集積レバー113，114，113が集積紙幣Ｐに押されることでばね付勢に抗して上方に回動して紙幣集積部31内から退避する。集積レバー113，114，113が退避しても、集積紙幣Ｐの荷重が加わることで、集積紙幣Ｐの下部側から順次集積される紙幣Ｐの集積状態は安定する。
【００７０】
図９(a)に示すように、ステージ53上の全ての紙幣Ｐを繰り出しを完了したら、図９(b)に示すように、ステージ53を集積枠部41の退避口45の位置まで下降させ、ステージ53を集積枠部41の退避口45から紙幣集積部31の後方に退避させる。
【００７１】
図９(c)に示すように、リフト手段35の左右両側のリフトアーム119を上昇させ、これら左右両側のリフトアーム119で集積ベルト103，104，103上の集積紙幣Ｐを受け取って上昇させ、集積紙幣Ｐの下方にステージ53の挿入空間を形成する。ステージ53は集積枠部41の進入口46の位置まで下降させる。
【００７２】
図９(d)に示すように、ステージ53を集積枠部41の進入口46を通じて紙幣集積部31内に進入させ、つまりステージ53を左右両側のリフトアーム119で上昇している集積紙幣Ｐの下側に進入させる。
【００７３】
図９(e)に示すように、リフト手段35の左右両側のリフトアーム119を下降させ、左右両側のリフトアーム119がステージ53に当接して上方に回動することで、集積紙幣Ｐをステージ53上に受け渡す。
【００７４】
そして、識別結果を表示パネル26で表示し、識別結果を確認した顧客の操作による入金承認指令により、再度、ステージ53を上昇させ、繰出手段33でステージ53上の紙幣Ｐを１枚ずつ紙幣通路18に繰り出し、紙幣通路18の紙幣識別部19で識別し、紙幣通路18で対応する金種の収納庫17に搬送して収納させる。また、入金リジェクト紙幣を入金リジェクト紙幣収納部16に収納している場合には、ステージ53上の全ての紙幣Ｐが繰り出されて収納庫17に収納された後に、入金リジェクト紙幣を、入金リジェクト紙幣収納部16から紙幣通路18に繰り出し、紙幣通路18で紙幣集積部31の上部に搬送し、繰出手段33で逆方向に搬送して紙幣集積部31の上部に繰り込む。全ての入金リジェクト紙幣の繰り込みを完了したら、シャッタ14を開いて入金リジェクト紙幣を返却する。
【００７５】
また、識別結果を確認した顧客の操作による入金返却指令により、シャッタ14を開いて紙幣取引口13を開放する。顧客は紙幣取引口13からステージ53上の紙幣Ｐを取り出す。紙幣Ｐが取り出されたら、シャッタ14を閉じて紙幣取引口13を閉鎖する。また、入金リジェクト紙幣を入金リジェクト紙幣収納部16に収納している場合には、シャッタ14を開く前に、入金リジェクト紙幣を、入金リジェクト紙幣収納部16内から紙幣通路18に繰り出し、紙幣通路18で紙幣集積部31の上部に搬送し、繰出手段33で逆方向に搬送して紙幣集積部31の上部に繰り込む。全ての入金リジェクト紙幣の繰り込みを完了したら、ステージ53を紙幣取引口13の下側に下降させ、シャッタ14を開いて紙幣取引口13から入金リジェクト紙幣を返却紙幣Ｐと一緒に返却する。
【００７６】
なお、入金リジェクト紙幣を紙幣集積部31の上部に繰り込む際には、ステージ53を上昇させてこのステージ53上またはステージ53上の返却紙幣Ｐ上に入金リジェクト紙幣を受け取るとともに、図示しない集積レバーで押さえることにより、正常に集積させることができる。
【００７７】
次に、紙幣入出金装置11の紙幣出金時には、指定された出金紙幣Ｐに対応する金種の各収納庫17から紙幣通路18に１金種ずつ順番に紙幣Ｐを必要枚数繰り出し、紙幣通路18の紙幣識別部19で識別し、正規の紙幣Ｐを紙幣通路18で紙幣集積部31の上部に搬送し、繰出手段33で逆方向に搬送して紙幣集積部31の上部に繰り込む。このとき、ステージ53を上昇させてこのステージ53上またはステージ53上の出金紙幣Ｐ上に入金リジェクト紙幣を受け取るとともに、図示しない集積レバーで押さえることにより、正常に集積させることができる。
【００７８】
また、リジェクト紙幣は、出金リジェクト紙幣収納部20に収納し、不足する分として該当する金種の収納庫17から紙幣Ｐを再度繰り出す。
【００７９】
そして、指定された全ての出金紙幣Ｐを紙幣集積部31に送り込んだ後、ステージ53を紙幣取引口13の下側に下降させ、シャッタ14を開いて紙幣取引口13から取り出し可能とする。
【００８０】
このように、紙幣入出金装置11では、１つの紙幣集積部31の紙幣収容スペース並びに機構を、紙幣Ｐの入金部、一時保留部63および出金部として共用できるため、コンパクトに構成でき、コストダウンも図れ、さらに、紙幣集積部31内に入金、一時保留および出金の紙幣Ｐを収容するため、紙幣取引口13を紙幣入金口、紙幣返却口および紙幣出金口として共用でき、紙幣Ｐの入出金の取扱いを容易にできる。
【００８１】
また、紙幣集積部31に一時保留した紙幣Ｐをリフト手段35で持ち上げて紙幣Ｐの下方に紙幣押圧手段32のステージ53の挿入空間を形成するとともにその挿入空間に挿入された紙幣押圧手段32のステージ53に紙幣Ｐを受け渡すことができ、紙幣押圧手段32のステージ53への紙幣Ｐの受け渡しを簡単な構成で実現できる。
【００８２】
また、紙幣集積部31の底部の集積ベルト103，104，103によって紙幣集積部31に挿入される紙幣Ｐを紙幣集積部31内に引き込むことにより、紙幣Ｐを確実に集積位置まで引き込んで挿入方向先端で揃えて集積することができ、さらに、周面に複数の突起110を有する集積ローラ111によって、それら突起110により紙幣集積部31に挿入された紙幣Ｐの挿入方向後端を持ち上げることにより、集積済みの紙幣Ｐに後続の紙幣Ｐが引っ掛かることなく、後続の紙幣Ｐを集積済みの紙幣Ｐの下側に確実に挿入させて集積させることができるとともに、集積ローラ111で持ち上げられた紙幣Ｐの挿入方向後端が係合する紙幣受部112によって、紙幣集積部31内の集積済み紙幣Ｐの荷重を受けることにより、集積ローラ111に加わる負荷を軽減できる。
【００８３】
さらには、先端持上ローラ108によって紙幣集積部31内に挿入された紙幣Ｐの挿入方向後端に加えて挿入方向先端も持ち上げること、紙幣Ｐの挿入方向に対して交差する幅方向に３本の集積ベルト103，104，103を備えることにより、収納済みの紙幣Ｐが挿入方向に対して交差する方向に湾曲するのを防止し、集積済みの紙幣Ｐに後続の紙幣Ｐが引っ掛かることなく、後続の紙幣Ｐを集積済みの紙幣Ｐの下側に確実に挿入させて集積させることができる。
【００８４】
また、集積レバー113，114，113によって集積紙幣量が少ない間は紙幣集積部31内に進出して紙幣Ｐを上方から押さえ、集積紙幣量が少ないときの紙幣Ｐの集積を安定させることができ、また、集積紙幣量の増加によって集積レバー113，114，113が紙幣集積部31内から退避し、紙幣Ｐのさらなる集積を許容できるとともに集積後の紙幣押圧手段32のステージ53への集積紙幣Ｐの受け渡しを許容できる。
【００８５】
また、リフト手段35は、集積機構34で集積された紙幣Ｐを持ち上げて集積紙幣Ｐの下方に紙幣押圧手段32のステージ53の挿入空間を形成した状態から、その挿入空間に挿入された紙幣押圧手段32のステージ53に対して下降するとともに上方へ揺動して紙幣集積部31内から退避しながら集積紙幣Ｐを紙幣押圧手段32のステージ53に受け渡すため、紙幣押圧手段32のステージ53への紙幣Ｐの受け渡しを簡単な構成で実現できる。
【００８６】
なお、上述した紙幣取引口部15などの構成は、紙幣Ｐの入出金処理をする紙幣入出金装置11に限らず、紙幣Ｐの入金処理をする紙幣入金装置にも適用できる。
【図面の簡単な説明】
【００８７】
【図１】本発明の一実施の形態を示す紙幣入出金装置の紙幣取引口部の側面図である。
【図２】同上紙幣取引口部の一部の斜視図である。
【図３】同上紙幣取引口部の下部の集積機構の斜視図である。
【図４】同上集積機構の紙幣集積動作を(a)〜(c)に示す側面図、(d)は集積機構に集積レバーがない場合の比較例を示す側面図である。
【図５】同上紙幣取引口部での集積紙幣のリフト手段から紙幣押圧手段への受渡動作を(a)〜(d)に示す正面図である。
【図６】同上紙幣取引口部の上部の繰出手段の異物排除動作を(a)〜(d)に示す側面図である。
【図７】同上繰出手段の正面図である。
【図８】同上紙幣入出金装置の入金動作を(a)〜(f)に示す側面図である。
【図９】同上紙幣入出金装置の図８に続く入金動作を(a)〜(e)に示す側面図である。
【図１０】同上紙幣入出金装置の構成図である。
【符号の説明】
【００８８】
11    紙幣入出金装置
13    紙幣取引口
17    収納庫
23    紙幣識別搬送部
24    入出金搬送部
29    制御部
31    紙幣集積部
32    紙幣押圧手段
33    繰出手段
34    集積機構
35    リフト手段
103，104    集積ベルト
108   先端持上ローラ
110   突起
111   集積ローラ
112   紙幣受部
113，114    集積レバー
Ｐ    紙幣
【図１】
2007286752.tif 000003
【図２】
2007286752.tif 000004
【図３】
2007286752.tif 000005
【図４】
2007286752.tif 000006
【図５】
2007286752.tif 000007
【図６】
2007286752.tif 000008
【図７】
2007286752.tif 000009
【図８】
2007286752.tif 000010
【図９】
2007286752.tif 000011
【図１０】
2007286752.tif 000012